(57)【特許請求の範囲】
【請求項１】
複数の被制御局と、前記複数の被制御局のそれぞれについて監視制御を行う場合の監視制御項目情報及びこれに対応する監視制御の実施要項に係る情報が記憶された記憶手段を有し、この記憶手段に記憶された情報に基づき前記複数の被制御局を監視制御する制御局とを備える監視制御システムにおいて、
前記記憶手段から情報を読み出し、前記複数の被制御局を監視制御する場合の監視制御項目と監視制御の実施要綱に係る情報を対応させて設定画面に表示すると共に、制御監視項目が前記被制御局を順次制御する被制御局順次制御である場合に、前記設定画面に、各被制御局の情報に対応させて実施要綱に係る情報として制御時間間隔を示すタイマ値情報を表示し、更に前記被制御局の全部または一部をブロックとして選択するための範囲ボタンと、前記被制御局に対応するタイマ値情報を個別に上下させる上下ボタンと、この設定画面の内容にて監視制御項目情報及びこれに対応する監視制御の実施要項に係る情報を決定するための決定ボタンとを表示する表示制御手段と、
前記設定画面が表示された状態において表示された各ボタンを操作して、所望の範囲の被制御局における監視制御の実施要綱に係る情報として、少なくとも被制御局順次制御における被制御局に対応するタイマ値情報の設定を行うための設定手段と、
前記設定手段における決定ボタンの操作による設定を受けて設定画面にて設定された情報を前記記憶手段へロードし、前記複数の被制御局を監視制御する場合の該当監視制御項目に対応する監視制御の実施要綱に係る情報を変更する要項変更手段と
を具備することを特徴とする監視制御システム。
【請求項２】
複数の被制御局と、前記複数の被制御局のそれぞれについて監視制御を行う場合の監視制御項目情報及びこれに対応する監視制御の実施要項に係る情報が記憶された記憶手段を有し、この記憶手段に記憶された情報に基づき前記複数の被制御局を監視制御する制御局とを備える監視制御システムにおいて、
前記記憶手段から情報を読み出し、前記複数の被制御局を監視制御する場合の監視制御項目と監視制御の実施要綱に係る情報を対応させて設定画面に表示すると共に、制御監視項目が前記被制御局を順次制御する被制御局順次制御である場合に、前記設定画面に、各被制御局の情報に対応させて実施要綱に係る情報として制御時間間隔を示すタイマ値情報を表示し、更に前記被制御局の全部または一部をブロックとして選択するための範囲ボタンと、前記被制御局に対応するタイマ値情報を個別に上下させる上下ボタンと、この設定画面の内容にて監視制御項目情報及びこれに対応する監視制御の実施要項に係る情報を決定するための決定ボタンとを表示する表示制御手段と、
前記設定画面が表示された状態において表示された各ボタンを操作して、所望の範囲の被制御局における監視制御の実施要綱に係る情報として、少なくとも被制御局順次制御における被制御局に対応するタイマ値情報の設定を行うための設定手段と、
前記設定手段における決定ボタンの操作による設定を受けて設定画面にて設定された情報を前記記憶手段へロードし、前記複数の被制御局を監視制御する場合の該当監視制御項目に対応する監視制御の実施要綱に係る情報を変更する要項変更手段と
を具備することを特徴とする制御局。
【請求項３】
複数の被制御局と、前記複数の被制御局のそれぞれについて監視制御を行う場合の監視制御項目情報及びこれに対応する監視制御の実施要項に係る情報が記憶された記憶手段を有し、この記憶手段に記憶された情報に基づき前記複数の被制御局を監視制御する制御局とを備える監視制御システムの制御局を構成する共に、前記複数の被制御局を直接監視制御するために前記制御局に含まれている制御監視装置に接続され、当該制御監視装置の動作を変更する前記制御局のディスプレイ卓において、
前記記憶手段から情報を読み出し、前記複数の被制御局を監視制御する場合の監視制御項目と監視制御の実施要綱に係る情報を対応させて設定画面に表示すると共に、制御監視項目が前記被制御局を順次制御する被制御局順次制御である場合に、前記設定画面に、各被制御局の情報に対応させて実施要綱に係る情報として制御時間間隔を示すタイマ値情報を表示し、更に前記被制御局の全部または一部をブロックとして選択するための範囲ボタンと、前記被制御局に対応するタイマ値情報を個別に上下させる上下ボタンと、この設定画面の内容にて監視制御項目情報及びこれに対応する監視制御の実施要項に係る情報を決定するための決定ボタンとを表示する表示制御手段と、
前記設定画面が表示された状態において表示された各ボタンを操作して、所望の範囲の被制御局における監視制御の実施要綱に係る情報として、少なくとも被制御局順次制御における被制御局に対応するタイマ値情報の設定を行うための設定手段と、
前記設定手段における決定ボタンの操作による設定を受けて設定画面にて設定された情報を前記記憶手段へロードし、前記複数の被制御局を監視制御する場合の該当監視制御項目に対応する監視制御の実施要綱に係る情報を変更する要項変更手段と
を具備することを特徴とする制御局のディスプレイ卓。
【発明の詳細な説明】
【０００１】
【発明の属する技術分野】
この発明は、ダム放流に使用される放流警報設備などのような監視制御システム及びその制御局、更には、上記制御局を構成するディスプレイ卓に関するものである。
【０００２】
【従来の技術】
ダム放流に使用される放流警報設備などのような監視制御システムは、複数の被制御局を制御局から監視制御する構成を採用している。係る監視制御システム或いは監視装置としては、特開平１１−３１６６０４号、特開平７−７７７０号、特開平７−２１０７８５号、特開平１０−２７２９１号に開示のものを挙げることができる。
【０００３】
上記のシステム等にあっては、構成要素（装置等）の増減に対応するための構成を備えるようになっているものの、複数の被制御局を監視制御する場合に使用している監視制御項目に対応する監視制御の実施要綱に係る情報に関してはシステムに固定のものとなっている。
【０００４】
例えば、ダム放流に使用される放流警報設備において、複数の被制御局である警報局を予め定められた順番で制御する場合の時間間隔（局間タイマ）に関しては固定的に定まっている。
【０００５】
【発明が解決しようとする課題】
このため、地形が変化したことに応じて時間間隔をフレキシブルに変更することができず、ソフトウエアを変更する作業が必要となり、時間と費用を要するという問題があった。
【０００６】
また、一度ソフトウエアを変更しても地形の変化がすぐに生じると再びソフトウエアを変更する必要が生じる。更に、上記では局間タイマに関して説明したが、他の監視制御の実施要綱に係る情報を変更したい場合も同様であり、全体としてはソフトウエアの変更が頻繁に行われることになる。
【０００７】
本発明は上記のような従来の監視制御システムが有する問題点を解決せんとしてなされたもので、その目的は、複数の被制御局を監視制御する場合に使用している監視制御項目に対応する監視制御の実施要綱に係る情報の設定を容易に適切に行うことのできる監視制御システムを提供することである。
【０００８】
【課題を解決するための手段】
本発明に係る監視制御システムは、複数の被制御局と、前記複数の被制御局のそれぞれについて監視制御を行う場合の監視制御項目情報及びこれに対応する監視制御の実施要項に係る情報が記憶された記憶手段を有し、この記憶手段に記憶された情報に基づき前記複数の被制御局を監視制御する制御局とを備える監視制御システムにおいて、前記記憶手段から情報を読み出し、前記複数の被制御局を監視制御する場合の監視制御項目と監視制御の実施要綱に係る情報を対応させて設定画面に表示すると共に、制御監視項目が前記被制御局を順次制御する被制御局順次制御である場合に、前記設定画面に、各被制御局の情報に対応させて実施要綱に係る情報として制御時間間隔を示すタイマ値情報を表示し、更に前記被制御局の全部または一部をブロックとして選択するための範囲ボタンと、前記被制御局に対応するタイマ値情報を個別に上下させる上下ボタンと、この設定画面の内容にて監視制御項目情報及びこれに対応する監視制御の実施要項に係る情報を決定するための決定ボタンとを表示する表示制御手段と、前記設定画面が表示された状態において表示された各ボタンを操作して、所望の範囲の被制御局における監視制御の実施要綱に係る情報として、少なくとも被制御局順次制御における被制御局に対応するタイマ値情報の設定を行うための設定手段と、前記設定手段における決定ボタンの操作による設定を受けて設定画面にて設定された情報を前記記憶手段へロードし、前記複数の被制御局を監視制御する場合の該当監視制御項目に対応する監視制御の実施要綱に係る情報を変更する要項変更手段と具備することを特徴とする。これにより、複数の被制御局を監視制御する場合の監視制御項目に対応して監視制御の実施要綱に係る情報を設定するための設定画面が表示され、必要な場合に情報設定を容易に適切に行うことができる。
【０００９】
本発明に係る監視制御システムの制御局は、複数の被制御局と、前記複数の被制御局のそれぞれについて監視制御を行う場合の監視制御項目情報及びこれに対応する監視制御の実施要項に係る情報が記憶された記憶手段を有し、この記憶手段に記憶された情報に基づき前記複数の被制御局を監視制御する制御局とを備える監視制御システムにおいて、前記記憶手段から情報を読み出し、前記複数の被制御局を監視制御する場合の監視制御項目と監視制御の実施要綱に係る情報を対応させて設定画面に表示すると共に、制御監視項目が前記被制御局を順次制御する被制御局順次制御である場合に、前記設定画面に、各被制御局の情報に対応させて実施要綱に係る情報として制御時間間隔を示すタイマ値情報を表示し、更に前記被制御局の全部または一部をブロックとして選択するための範囲ボタンと、前記被制御局に対応するタイマ値情報を個別に上下させる上下ボタンと、この設定画面の内容にて監視制御項目情報及びこれに対応する監視制御の実施要項に係る情報を決定するための決定ボタンとを表示する表示制御手段と、前記設定画面が表示された状態において表示された各ボタンを操作して、所望の範囲の被制御局における監視制御の実施要綱に係る情報として、少なくとも被制御局順次制御における被制御局に対応するタイマ値情報の設定を行うための設定手段と、前記設定手段における決定ボタンの操作による設定を受けて設定画面にて設定された情報を前記記憶手段へロードし、前記複数の被制御局を監視制御する場合の該当監視制御項目に対応する監視制御の実施要綱に係る情報を変更する要項変更手段とを具備することを特徴とする。これにより、複数の被制御局を監視制御する場合の監視制御項目に対応して監視制御の実施要綱に係る情報を設定するための設定画面が表示され、必要な場合に情報設定を容易に適切に行うことができる。
【００１０】
本発明に係る監視制御システムにおける制御局のディスプレイ卓は、複数の被制御局と、前記複数の被制御局のそれぞれについて監視制御を行う場合の監視制御項目情報及びこれに対応する監視制御の実施要項に係る情報が記憶された記憶手段を有し、この記憶手段に記憶された情報に基づき前記複数の被制御局を監視制御する制御局とを備える監視制御システムの制御局を構成する共に、前記複数の被制御局を直接監視制御するために前記制御局に含まれている制御監視装置に接続され、当該制御監視装置の動作を変更する前記制御局のディスプレイ卓において、前記記憶手段から情報を読み出し、前記複数の被制御局を監視制御する場合の監視制御項目と監視制御の実施要綱に係る情報を対応させて設定画面に表示すると共に、制御監視項目が前記被制御局を順次制御する被制御局順次制御である場合に、前記設定画面に、各被制御局の情報に対応させて実施要綱に係る情報として制御時間間隔を示すタイマ値情報を表示し、更に前記被制御局の全部または一部をブロックとして選択するための範囲ボタンと、前記被制御局に対応するタイマ値情報を個別に上下させる上下ボタンと、この設定画面の内容にて監視制御項目情報及びこれに対応する監視制御の実施要項に係る情報を決定するための決定ボタンとを表示する表示制御手段と、前記設定画面が表示された状態において表示された各ボタンを操作して、所望の範囲の被制御局における監視制御の実施要綱に係る情報として、少なくとも被制御局順次制御における被制御局に対応するタイマ値情報の設定を行うための設定手段と、前記設定手段における決定ボタンの操作による設定を受けて設定画面にて設定された情報を前記記憶手段へロードし、前記複数の被制御局を監視制御する場合の該当監視制御項目に対応する監視制御の実施要綱に係る情報を変更する要項変更手段とを具備することを特徴とする。これにより、複数の被制御局を監視制御する場合の監視制御項目に対応して監視制御の実施要綱に係る情報を設定するための設定画面が表示され、必要な場合に情報設定を容易に適切に行うことができる。
【００１１】
【発明の実施の形態】
以下添付図面を参照して本発明に係る監視制御システム及びその制御局、制御局のディスプレイ卓を説明する。図１に示されるように監視制御システムは、制御局１と複数の被制御局であるダム下流の警報局２−１〜２−ｎを備える。制御局１にはディスプレイ卓１０と制御監視装置２０とが含まれ、ダム下流の警報局２−１〜２−ｎには無線部３−１〜３−ｎ、制御部４−１〜４−ｎ及びスピーカや回転灯などからなる報知装置５−１〜５−ｎが備えられている。
【００１２】
ディスプレイ卓１０からの制御指示は制御監視装置２０へ与えられ、これに基づいて制御監視装置２０はアンテナ２１を介してダム下流の警報局２−１〜２−ｎへ制御指令信号や音声信号等を送信する。ダム下流の警報局２−１〜２−ｎでは、無線部３−１〜３−ｎがアンテナ６−１〜６−ｎを介して上記の制御指令信号や音声信号等を受信して制御部４−１〜４−ｎへ送る。制御部４−１〜４−ｎは制御指令信号に基づき、報知装置５−１〜５−ｎへ音声信号を送出するなどして警報発生などの制御を行う。
【００１３】
上記のディスプレイ卓１０及び制御監視装置２０の詳細を図２に示す。ディスプレイ卓１０は、コンピュータにより構成される制御部１１にＣＲＴ等の表示部１２、キーボード１３、マウス１４、プリンタ１５等が接続された構成を備えている。
【００１４】
また、アンテナ２１に接続される無線部を含みパネルコンピュータにより構成される制御監視装置２０には、下流の警報局２−１〜２−ｎと通話（マイク放送を含む）を行うための通話操作器３０が接続されている。上記の制御監視装置２０はＬＡＮを介してディスプレイ卓１０の制御部１１と接続されている。
【００１５】
制御部１１と制御監視装置２０内の制御部２２とを中心とし、本発明に関わる部分の要部機能ブロック図を図３に示す。制御部１１内には、メモリやファイル装置に設けられる記憶手段３１が設けられ、記憶手段３１には、下流の警報局２−１〜２−ｎを監視制御する場合の監視制御項目に対応して監視制御の実施要綱に係る情報が記憶されている。
【００１６】
上記の記憶手段３１の記憶内容を図４に示す。つまり、制御項目が「警報局順次制御」である場合には、監視制御の実施要綱に係る情報が局間タイマ値であり、各警報局についてどれだけの時間間隔にて制御を行うかを示す時間情報がセットされる。また、制御項目が「定時点検」である場合には、監視制御の実施要綱に係る情報が定時点検時刻であり、全警報局について何時何分から定時点検を行うかを示す時刻情報がセットされる。更に、制御項目が「組合せ警報発生」である場合には、監視制御の実施要綱に係る情報が発生させる音の種類であり、どのような音声、サイレン、疑似音を発生するのかがセットされる。記憶手段３１には、以下に同様に情報がセットされる。
【００１７】
制御部１１には、更に表示制御手段３２が備えられている。表示制御手段３２は、記憶手段３１の情報に基づき複数の被制御局を監視制御する場合の監視制御項目に対応して監視制御の実施要綱に係る情報を設定するための設定画面を表示部１２へ表示する。
【００１８】
また、制御部１１に接続されたキーボード１３やマウス１４は設定手段３３を構成し、設定手段３３は、設定画面が表示部１２に表示された状態において表示された監視制御の実施要綱に係る情報の設定を行う。
【００１９】
また、制御部１１には要項変更手段３４が備えられており、要項変更手段３４は、設定手段３３による設定を受けて上記複数の警報局を監視制御する場合の該当監視制御項目に対応する監視制御の実施要綱に係る情報（記憶手段３１内）を変更する。
【００２０】
一方、制御監視装置２０内の制御部２２には、制御部１１の記憶手段３１の内容をコピーして用いるための記憶手段２５が備えられている。また、制御部１１には送受信手段３５が設けられており、制御部２２には送受信手段２６が設けられており、送受信手段３５は記憶手段３１の内容に変更があると変更された内容を制御部２２の送受信手段２６へ送信し記憶手段２５の内容に反映させる。
【００２１】
以上のように構成された監視制御システムにおける動作を図５に示されるフローチャート及び図６〜図８に示される表示部１２への表示画面を参照して説明する。まず、この実施の形態において表示部１２へ表示される表示画面の構成を図６により説明する。表示画面１００は、ステータスバー１０１の表示領域、メニューバー１０２の表示領域、メイン画面１０３の表示領域で構成される。
【００２２】
制御監視装置２０においては、立上げが行われると設定ファイル（図３における記憶手段２５の情報）の読み込みが行われ（Ｓ６）、設定ファイルをメモリ上に展開して（Ｓ７）制御監視装置２０の運用が開始される。
【００２３】
この制御監視装置２０が運用している状態において、ディスプレイ卓１０が立ち上げられると、制御監視装置２０へ要求を出して制御監視装置２０の設定ファイルの内容をローカル（ディスプレイ卓１０の記憶手段３１）へダウンロードする（Ｓ１１）。ディスプレイ卓１０では、ダウンロードされた設定ファイルをもとに図６を用いて説明したような表示を行う（Ｓ１２）。つまり、このとき表示される画面においては、ステータスバー１０１とメニューバー１０２は図６に示されている画面におけるものと同じであり、メイン画面１０３としては例えば予め定められた初期画面が表示される。
【００２４】
例えば初期画面（勿論、他の画面でも良い）において、メニューバー１０２の保守ボタン１０２ａを選択する操作を行うと、図６に示される局間タイマ設定ボタン１０３ａ、定時点検時刻設定ボタン１０４ａ、組合せ制御設定ボタン１０５ａがメイン画面１０３に表示される。このときメイン画面１０３には局間タイマ設定画面１０３ｂは表示されていない。
【００２５】
そこで、局間タイマ設定ボタン１０３ａを操作すると図６に示されている局間タイマ設定画面１０３ｂが表示され、また定時点検時刻設定ボタン１０４ａを操作すると図７に示されている定時点検時刻設定画面１０４ｂが表示され、また組合せ制御設定ボタン１０５ａを操作すると図８に示されている組合せ制御設定画面１０５ｂが表示される。
【００２６】
図６に示されている局間タイマ設定画面１０３ｂが表示された状態において設定情報の変更を行う場合には、モードボタン１０３ｃの選択により変更を行う警報局の範囲や所定値タイマ値の指定を行い、個別の警報局のタイマ値を上下させる上下ボタン１０３ｄを操作して所望のタイマ値を設定する（Ｓ１）。
【００２７】
また、図７に示されている定時点検時刻設定画面１０４ｂが表示された状態において設定情報の変更を行う場合には、定時点検時刻を変更する上下ボタン１０４ｃを操作して所望のタイマ値を設定する（Ｓ１）。
【００２８】
更に、図８に示されている組合せ制御設定画面１０５ｂが表示された状態において設定情報の変更を行う場合には、先行制御の欄と後行制御の欄のそれぞれ右に表示されているプルダウンボタン１０５ｃを操作して制御内容を変更（例えば、「音声発生１」→「音声発生２」→「音声発生３」→「音声発生１」のようにサイクリックに変更）させて所望の制御内容を設定する（Ｓ１）。
【００２９】
上記のいずれの場合にも、制御部１１は決定ボタン（図６では１０３ｅ、図７では１０４ｄ、図８では１０５ｄ）の操作の有無を監視することによって設定情報の変更ありを検出しており（Ｓ２）、上記決定ボタンの操作を受けてステップＳ１において設定された内容に基づきローカルのファイル（ディスプレイ卓１０の記憶手段３１の情報）の更新を行う（Ｓ３）。
【００３０】
更に、上記で更新された設定ファイルをアップロードして（Ｓ４）、制御監視装置２０における設定ファイル（図３における記憶手段２５の情報）を更新する。ここで制御監視装置２０では、設定ファイル（図３における記憶手段２５の情報）の更新が行われたためにメモリ上に展開すべく、自動的に再立ち上げを行い（Ｓ５）、設定ファイル（図３における記憶手段２５の情報）の読み込みが行われ（Ｓ６）、設定ファイルをメモリ上に展開して（Ｓ７）制御監視装置２０の新たな運用が開始される。
【００３１】
斯して、ダム放流時に使用する放流警報設備において、ディスプレイ卓１０と制御監視装置２０に設定される局間タイマ、定時点検時刻、組合せ制御内容の各設定情報を容易かつ適切に変更設定することができ、ダムの運用開始後のダム下流河川の地形が変化した場合などにおける放流水の到達時刻の変化、ダム放流警報に関する操作規則の変更等に適切に対応することが可能である。
【００３２】
【発明の効果】
以上説明したように本発明によれば、複数の被制御局を監視制御する場合の監視制御項目に対応して監視制御の実施要綱に係る情報を設定するための設定画面を表示して、実施要綱に係る情報の設定を受けて当該情報を変更するので、必要な場合に上記の情報を容易に適切に設定変更することができ、監視制御システムをフレキシブルに変更できる効果がある。
【図面の簡単な説明】
【図１】本発明の監視制御システムの構成を示すブロック図。
【図２】本発明の監視制御システムにおけるディスプレイ卓と制御監視装置の構成を示すブロック図。
【図３】本発明の監視制御システムにおけるディスプレイ卓と制御監視装置の要部機能ブロック図。
【図４】本発明の監視制御システムに用いられる設定ファイルの内容例を示す図。
【図５】本発明の監視制御システムの動作を説明するためのフローチャート。
【図６】本発明の監視制御システムにおける設定ファイルの変更時に表示される画面の表示例を示す図。
【図７】本発明の監視制御システムにおける設定ファイルの変更時に表示される画面の表示例を示す図。
【図８】本発明の監視制御システムにおける設定ファイルの変更時に表示される画面の表示例を示す図。
【符号の説明】
１  制御局                          ２−１〜２−ｎ  警報局
３−１〜３−ｎ  無線部              ４−１〜４−ｎ  制御部
５−１〜５−ｎ  報知装置            ６−１〜６−ｎ  アンテナ
１０  ディスプレイ卓                １１  制御部
１２  表示部                        １３  キーボード
１４  マウス                        １５  プリンタ
２０  制御監視装置                  ２１  アンテナ
２５  記憶手段                      ２６  送受信手段
３０  通話操作器                    ３１  記憶手段
３２  表示制御手段                  ３３  設定手段
３４  要項変更手段                  ３５  送受信手段
【図１】
0004060538.tif 000002
【図２】
0004060538.tif 000003
【図３】
0004060538.tif 000004
【図４】
0004060538.tif 000005
【図５】
0004060538.tif 000006
【図６】
0004060538.tif 000007
【図７】
0004060538.tif 000008
【図８】
0004060538.tif 000009